(57)【特許請求の範囲】
【請求項１】
機能を示す文字列を含む項目を複数表示する表示部と、
前記複数の項目の１つを選択する選択手段と、
前記選択手段により選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御部と
を含むことを特徴とする携帯端末。
【請求項２】
前記制御部は、前記選択された項目に含まれる機能を示す文字列と、前記機能を示す文字列の意味を説明する文字列とを、複数行に表示すること、
を特徴とする請求項１に記載の携帯端末。
【請求項３】
前記制御部は、前記選択された項目を、前記選択された項目以外の項目と、識別可能に表示することを特徴とする請求項１または2に記載の携帯端末。
【請求項４】
前記制御部は、前記選択された項目以外の全ての項目を、前記表示部に表示すること、
を特徴とする請求項１乃至３のいずれか１つに記載の携帯端末。
【請求項５】
機能を示す文字列を含む項目を複数表示する表示ステップと、
前記複数の項目の１つを選択する選択ステップと、
前記選択ステップにより選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御ステップと
を含むことを特徴とする携帯端末における表示情報拡大方法。
【請求項６】
前記制御ステップは、前記選択された項目に含まれる機能を示す文字列と、前記機能を示す文字列の意味を説明する文字列とを、複数行に表示すること、
を特徴とする請求項５に記載の表示情報拡大方法。
【請求項７】
前記制御ステップは、前記選択された項目を、前記選択された項目以外の項目と、識別可能に表示することを特徴とする請求項５または６に記載の表示情報拡大方法。
【請求項８】
前記制御ステップは、前記選択された項目以外の全ての項目を、前記表示部に表示すること、
を特徴とする請求項５乃至７のいずれか１つに記載の表示情報拡大方法。
【請求項９】
携帯端末のコンピュータに実行させるプログラムであって、
機能を示す文字列を含む項目を複数表示する表示ステップと、
前記複数の項目の１つを選択する選択ステップと、
前記選択ステップにより選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御ステップと
を含むことを特徴とするプログラム。
【発明の詳細な説明】
【技術分野】
【０００１】
本発明は、携帯端末および携帯端末における表示情報拡大方法ならびにプログラムに関し、特に携帯電話機等における表示情報拡大方法およびプログラムに関する。
【背景技術】
【０００２】
従来の携帯電話機、ＰＨＳ(personal handy phone system) 、ＰＤＡ（personal digital assistant）およびパーソナルコンピュータ等の携帯端末は、情報を表示する表示部を含んでおり、文字や画像を拡大できるものが存在する。
【０００３】
図１１および図１２は従来の携帯端末の表示部における文字拡大表示の一例を示す図である。図１１は文字が拡大されたメニュー画面の一例で、「各種設定を行う」という項目が選択（フォーカス）されていることを示している。
【０００４】
しかし、従来の文字の拡大は画面に表示される文字の全てが一様に拡大される構成であったため、表示できる文字数が拡大前に比べ少なくなるという課題があった。
【０００５】
たとえば、図１１において「ツールを使う」という項目の上の項目は、文字の拡大によりメニュー画面から消えてしまっており、その項目を確認するためには画面を下にスクロールしなければならなかった。
【０００６】
図１２はスクロール後の画面を示している。図１２を参照すると、画面を下にスクロールしたことにより、「ツールを使う」という項目の上に「カメラを使う」という項目が存在することが確認できる。
【０００７】
このように、従来の文字の拡大は項目を検索するのにスクロール操作が必要になる場合があり、操作が煩雑になるという課題があった。
【０００８】
一方、これらの課題の解決するための従来例の一例として、３行の文字列が選択され、そのうちの第２行が拡大表示され、第１行と第３行が縮小表示される技術が開示され（特許文献１参照）、他の例として、数字キーをシフトしながら最後に入力された６桁の数字を拡大表示する技術（特許文献２参照）、予め設定した文字、絵文字、英数字を拡大する技術（特許文献３参照）、アイコンを選択すると、その下にアイコンの意味を示す文字が現れる技術（特許文献４参照）がそれぞれ開示されている。
【先行技術文献】
【特許文献】
【０００９】
【特許文献１】特開２０００−２８４７７４号公報（段落００２２，００２３、図４（ｂ））
【特許文献２】特開平０６−０１２０４７号公報（段落００１４、図３）
【特許文献３】特開平０９−２８４３６５号公報（段落００１７、図２（ｂ））
【特許文献４】特開平１０−０２３１１７号公報（段落００２７，００２８、図３）
【発明の開示】
【発明が解決しようとする課題】
【００１０】
しかし、これら従来技術（とくに特許文献１）により、文字拡大後も拡大前と同様の文字数を表示画面に確保できるとしても、単に文字が拡大できるにすぎない。
【００１１】
たとえば、メニュー画面で「電話」の項目を選択し拡大した場合に、使用者は実は電話番号を調べたかったのだが、次の画面を開いてみると、それとは異なる「電話の機能」を示す画面が現れてしまったということが有りうる。その場合、使用者は再び、メニュー画面に戻って項目の検索を再度行わなければならない。
【００１２】
一方、特許文献４ではアイコンを選択すると、アイコンの意味を示す文字が現れる技術が開示されているが、文字の拡大とはなんら関係がなく、したがって、本発明とは全くの別発明である。
【００１３】
そこで本発明の目的は、所望の表示情報の拡大が可能で、しかもその拡大した情報をわかり易く表示することが可能な携帯端末における表示情報拡大方法およびその携帯端末ならびにプログラムを提供することにある。
【課題を解決するための手段】
【００１４】
前記課題を解決するために本発明による携帯端末は、機能を示す文字列を含む項目を複数表示する表示部と、
前記複数の項目の１つを選択する選択手段と、
前記選択手段により選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御部と
を含むことを特徴とする。
【００１５】
また、本発明による携帯端末における表示情報拡大方法は、機能を示す文字列を含む項目を複数表示する表示ステップと、
前記複数の項目の１つを選択する選択ステップと、
前記選択ステップにより選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御ステップと
を含むことを特徴とする。
【００１６】
また、本発明によるプログラムは、携帯端末のコンピュータに実行させるプログラムであって、
機能を示す文字列を含む項目を複数表示する表示ステップと、
前記複数の項目の１つを選択する選択ステップと、
前記選択ステップにより選択された項目に含まれる機能を示す文字列を、前記選択された項目に含まれる機能を示す文字列の意味を説明する文字列に変換し、この変換した文字列を拡大表示するとともに、前記選択された項目以外の項目をそのまま前記表示部に表示する制御ステップと
を含むことを特徴とする。
【００１７】
本発明によれば、表示情報を拡大するとともにその情報がわかり易くなるように情報量を増加させる。
【発明の効果】
【００１８】
本発明によれば、上記構成を含むため、所望の表示情報の拡大が可能で、しかもその拡大した情報をわかり易く表示することが可能となる。
【図面の簡単な説明】
【００１９】
【図１】本発明に係る携帯端末の一例の構成図である。
【図２】本発明に係る携帯端末の一例の外観図である。
【図３】表示部５０に表示される情報の一例を示す図である。
【図４】表示部５０に表示される情報量が増加した情報の一例を示す図である。
【図５】ＲＯＭ６０の構成図である。
【図６】本発明に係る表示情報拡大方法の一例を示すフローチャートである。
【図７】「電話」の文字列を選択した場合の表示部５０の表示を示す図である。
【図８】「機能」の文字列を選択した場合の表示部５０の表示を示す図である。
【図９】複数の画像の中から山の画像が選択されて表示部５０に表示された場合の一例の図である。
【図１０】表示部５０にその山の画像の中央部分を拡大した画像が表示された場合の図である。
【図１１】従来の携帯端末の表示部における文字拡大表示の一例を示す図である。
【図１２】従来の携帯端末の表示部における文字拡大表示の一例を示す図である。
【発明を実施するための最良の形態】
【００２０】
以下、本発明の実施例について添付図面を参照しながら説明する。
【実施例１】
【００２１】
図１は本発明に係る携帯端末の一例の構成図である。同図は携帯端末の一例として携帯電話機の構成を示している。
【００２２】
同図を参照すると、携帯電話機は、オンフック、オフフックボタンや、ダイヤル等を入力するボタン入力部１０と、ボタン入力部１０から入力されたボタンにより、文字表示および画像表示や通信制御をプログラム制御により行う制御部２０と、携帯電話機の図示しない基地局との電波を送受信する送受信部３０と、実際に電波を送受信するアンテナ部４０と、制御部２０の指示により文字情報や画像情報を表示する表示部５０と、表示部５０に表示する文字情報および画像情報が格納されるＲＯＭ(read only memory)６０とを含んで構成される。
【００２３】
さらに、制御部２０は、ボタン入力部１０より押下されたボタンの種類を判断する押下ボタン判断部２１と、押下ボタン判断部２１からの判断結果により、どの様な動作をするべきか、どの様な状態にあるのかを監視する状態監視部２２と、状態監視部２２の監視結果に応じて基地局とのやりとりを制御する通信制御部２３と、表示情報拡大方法のプログラムが格納される記憶部２４とを含んで構成される。状態監視部２２は記憶部２４に格納されたプログラムに基づいて表示部５０を制御する。
【００２４】
図２は本発明に係る携帯端末の一例の外観図である。同図を参照すると、本発明に係る携帯電話機は、ボタン入力部１０として、数字および符号ボタンが配置されるダイヤルボタン部１１と、表示部５０に表示される文字列にカーソルを当て、または表示される画像の選択範囲を指定し、もしくは画面を切り替えるのに使用する上下左右方向のボタンを有する方向ボタン部１２と、メニューボタンや電話帳ボタン等が配置される機能ボタン部１３とを含んでいる。
【００２５】
次に、表示情報の情報量を増加させる機能および表示情報を拡大する機能について説明する。図３は表示部５０に表示される情報の一例を示す図、図４は表示部５０に表示される情報量が増加した情報の一例を示す図、図５はＲＯＭ６０の構成図である。
【００２６】
図３および図４はメニュ−画面の一例を示しているが、これに限定されるものではなく、たとえば、電話帳や受信メールの一覧表等の文字情報でもよい。
【００２７】
図３に「ツール」、「設定」、「機能」、「電話」、「メール」、「インターネット」、「カメラ」という文字列が表示されているが、これらの文字列が標準サイズでＲＯＭ６０の標準サイズ格納領域６１に格納されている。
【００２８】
また、これらの文字列の情報量を増加させた文字列（詳細表示情報）が拡大サイズでＲＯＭ６０の拡大サイズ格納領域６２に格納されている。図４を参照すると、詳細表示情報とは、「ツール」に対し「ツール類を使う」、「設定」に対し「各種設定を使う」、「機能」に対し「すべての機能を使う」、「電話」に対し「電話機能を使う」、「メール」に対し「メールを使う」、「インターネット」に対し「インターネットを使う」、「カメラ」に対し「カメラを使う」というより詳細な情報のことをいう。
【００２９】
さらに、図３に示す「ツール」、「設定」、「機能」、「電話」、「メール」、「インターネット」、「カメラ」という文字列が縮小サイズでＲＯＭ６０の縮小サイズ格納領域６３に格納されている。
【００３０】
次に、表示情報拡大方法について説明する。図６は本発明に係る表示情報拡大方法の一例を示すフローチャートである。
【００３１】
初期設定として、表示部５０には図３に示すメニュー画面が表示されているものとする。これは状態監視部２２がＲＯＭ６０の標準サイズ格納領域６１から標準サイズの文字列情報を読み出して表示したものである。
【００３２】
まず、使用者が方向ボタン部１２を用いて、一例として、メニュー画面から「電話」を選択すると（ステップＳ１），押下ボタン判断部２１が「電話」が選択されたことを状態監視部２２へ通知する。状態監視部２２はこの通知を受け取ると、「電話」を「電話機能を使う」という情報量の増加した表示に変換する（ステップＳ２）。次いで、状態監視部２２は「電話機能を使う」の文字列を拡大する（ステップＳ３）。
【００３３】
具体的には、状態監視部２２によりＲＯＭ６０の拡大サイズ格納領域６２から拡大された「電話機能を使う」の文字列情報が読み出され、表示部５０のメニュー画面上の標準文字列「電話」と置換される。
【００３４】
次いで、状態監視部２２は「電話」以外の標準サイズの文字列（「ツール」、「設定」、「機能」、「メール」、「インターネット」、「カメラ」）を縮小する（ステップＳ４）。
【００３５】
具体的には、状態監視部２２によりＲＯＭ６０の縮小サイズ格納領域６３から縮小された「ツール」、「設定」、「機能」、「メール」、「インターネット」、「カメラ」の文字列情報が読み出され、表示部５０のメニュー画面上の同名の文字列と置換される。
【００３６】
なお、ステップＳ４は省略することも可能である。
【００３７】
図７は「電話」の文字列を選択した場合の表示部５０の表示を示す図である。この場合、「電話」に代えて「電話機能を使う」の文字列が拡大されて表示されている。また、ステップＳ４を実行した場合は、「ツール」、「設定」、「機能」、「メール」、「インターネット」、「カメラ」の文字列も縮小表示されて同一画面に表示される。
【００３８】
図８は「機能」の文字列を選択した場合の表示部５０の表示を示す図である。この場合、「機能」に代えて「すべての機能を使う」の文字列が拡大されて表示されている。また、ステップＳ４を実行した場合は、「カメラ」、「ツール」、「設定」、「電話」、「メール」、「インターネット」の文字列も縮小表示されて同一画面に表示される。
【００３９】
すなわち、第１実施例によれば、所望の表示情報の拡大が可能で、しかもその拡大した情報をわかり易く表示することが可能となる。また、ステップＳ４の処理を追加すると、選択されなかった文字列は縮小表示されるため、「電話機能を使う」の文字列を拡大表示した状態で、文字列「ツール」、「設定」、「機能」、「メール」、「インターネット」、「カメラ」が同一画面上に縮小表示される。したがって、メニュー項目が次頁に移行することがなく、希望する機能の選択が容易となる。
【実施例２】
【００４０】
第１実施例では１行の文字列を選択する場合について述べたが、これに限定されるものではなく、１列、複数行あるいは複数列の文字列情報をＲＯＭ６０に格納しておくことにより、それらの選択が可能である。さらに、所定の単語または所定長の文字列情報をＲＯＭ６０に格納しておくことにより、それらの選択が可能である。
【００４１】
第２実施例によれば、選択可能な文字列の範囲を拡大することが可能となる。
【実施例３】
【００４２】
第１実施例では標準サイズの文字列情報と拡大または縮小サイズの文字列情報とをＲＯＭ６０に格納しておき、拡大または縮小表示する場合にＲＯＭ６０から拡大または縮小サイズの文字列情報を読み出して表示部５０に表示するようにしたが、ＲＯＭ６０に標準サイズの文字列情報のみを格納しておき、かつその文字列情報を拡大縮小可能なフォントデータ（スケーラブルフォント）で構成しておけば、状態監視部２２がＲＯＭ６０から標準サイズの文字列情報を読み出し、これを段階的に拡大縮小して表示部５０に表示することが可能となる。
【００４３】
第３実施例によれば、拡大および縮小サイズの文字列情報をＲＯＭ６０に格納する必要をなくすことができ、これによりＲＯＭ６０に必要とされる記憶容量を低減させることが可能となる。
【実施例４】
【００４４】
上述の実施例では文字列を選択する場合について説明したが、画像を選択する場合についても本発明の適用が可能である。図９は複数の画像の中から山の画像が選択されて表示部５０に表示された場合の一例の図である。この山の画像情報がＲＯＭ６０の図示しない標準画像格納領域に格納されている。
【００４５】
図１０は表示部５０にその山の画像の中央部分を拡大した画像が表示された場合の図である。この山の画像の中央部分を拡大した画像情報がＲＯＭ６０の図示しない拡大画像格納領域に格納されている。さらに、拡大された山の画像の下方にはその山を撮影した日のデータ（一例として、撮影日：２００Ｘ年１２月１０日）が含まれている。すなわち、ＲＯＭ６０の図示しない拡大画像格納領域にはこの山を撮影した日のデータという詳細表示情報も格納されている。
【００４６】
さらに、ＲＯＭ６０の図示しない縮小画像格納領域にはこの山の画像の中央部分以外の縮小画像情報が格納されている。
【００４７】
次に、表示情報拡大方法について図６を参照しながら説明する。
【００４８】
初期設定として、表示部５０には図示しない複数の画像が表示されているものとする。これは状態監視部２２がＲＯＭ６０の図示しない標準画像格納領域から標準サイズの画像情報を読み出して表示したものである。
【００４９】
まず、使用者が方向ボタン部１２を用いて、一例として、表示部５０に表示された複数の画像から「山の画像」を選択すると（ステップＳ１），押下ボタン判断部２１が「山の画像」が選択されたことを状態監視部２２へ通知する。状態監視部２２はこの通知を受け取ると、「山の画像」を「山の画像の中央部分に山を撮影した日のデータが付加された画像」という情報量の増加した表示に変換する（ステップＳ２）。
【００５０】
次いで、状態監視部２２は「山の画像の中央部分に山を撮影した日のデータが付加された画像」の中央部分を拡大する（ステップＳ３）。
【００５１】
具体的には、状態監視部２２によりＲＯＭ６０の図示しない拡大画像格納領域から「山の画像の中央部分が拡大されかつその拡大部分の下部に山を撮影した日のデータが付加された画像」の画像情報が読み出され、表示部５０のメニュー画面上の標準サイズの「山の画像」と置換される。
【００５２】
次いで、状態監視部２２は「山の画像の中央部分」以外の標準サイズの画像を縮小する（ステップＳ４）。
【００５３】
具体的には、状態監視部２２によりＲＯＭ６０の図示しない縮小画像格納領域から縮小された「山の画像の中央部分以外の画像」情報が読み出され、表示部５０の同一部分の画像と置換される。
【００５４】
また、詳細表示情報の一例として、山を撮影した日のデータを挙げたが、これに限定されるものではなく、山を撮影した時間あるいは露光時間、絞り情報もしくはメモ等の情報でもよい。
【００５５】
また、画像の一例として「山の画像」のような写真画像を挙げたが、これに限定されるものではなく、地図等の画像でもよい。
【００５６】
第４実施例によれば、所望の画像情報の拡大が可能で、しかもその拡大した情報をわかり易く表示することが可能となる。
【実施例５】
【００５７】
第４実施例では標準サイズの画像情報と拡大または縮小サイズの画像情報とをＲＯＭ６０に格納しておき、拡大または縮小表示する場合にＲＯＭ６０から拡大または縮小サイズの画像情報を読み出して表示部５０に表示するようにしたが、ＲＯＭ６０に標準サイズの画像情報のみを格納しておき、状態監視部２２がＲＯＭ６０からこの標準サイズの画像情報を読み出し、これを段階的に拡大縮小して表示部５０に表示することが可能となる。
【００５８】
なお、ステップＳ４は省略することも可能である。また、画像の拡大縮小には対応するアルゴリズムとして公知のものを使用するが、これは本発明とは無関係であるため、その説明を省略する。
【００５９】
第５実施例によれば、拡大および縮小サイズの画像情報をＲＯＭ６０に格納する必要をなくすことができ、これによりＲＯＭ６０に必要とされる記憶容量を低減させることが可能となる。
【実施例６】
【００６０】
第６実施例は表示情報拡大方法のプログラムに関するものである。前述したように、図１の記憶部２４にはプログラムが格納されている。このプログラムは図６にフローチャートで示される表示情報拡大方法のプログラムである。コンピュータ（状態監視部２２）は記憶部２４からこの表示情報拡大方法のプログラムを読み出し、そのプログラムにしたがって表示部５０およびＲＯＭ６０を制御する。その制御の内容については既に述べたのでここでの説明は省略する。
【符号の説明】
【００６１】
１０  ボタン入力部
２０  制御部
２１  押下ボタン判断部
２２  状態監視部
２３  通信制御部
２４  記憶部
３０  送受信部
４０  アンテナ部
５０  表示部
６０  ＲＯＭ
６１  標準サイズ格納領域
６２  拡大サイズ格納領域
６３  縮小サイズ格納領域
【図１】
0005447495.tif 000002
【図２】
0005447495.tif 000003
【図３】
0005447495.tif 000004
【図４】
0005447495.tif 000005
【図５】
0005447495.tif 000006
【図６】
0005447495.tif 000007
【図７】
0005447495.tif 000008
【図８】
0005447495.tif 000009
【図９】
0005447495.tif 000010
【図１０】
0005447495.tif 000011
【図１１】
0005447495.tif 000012
【図１２】
0005447495.tif 000013